(57)【要約】【課題】不正に開封されたとしても、不規則で顕著な痕跡が確実に残り、未開封に見える綺麗な状態に戻すことが極めて困難な改ざん防止機能付き包装用箱を提供する。【解決手段】側面板１６の端部に、差込片５２が糊付けされ開封部３６を備え、開封部３６は開封用破断線３８で囲まれている。開封用破断線３８は、開封部３６の輪郭３６ａと交差する角度に形成された複数の切れ目４０ａが所定のピッチで並設された第１破断部４０と、開封部３６の輪郭に沿う角度に形成された切れ目４２ａが設けられた第２破断部４２とを有し、第１破断部４０と第２破断部４２とが交互に配置されて開封部３６を囲んでいる。【選択図】図２
2020164217.tif 000002
【特許請求の範囲】
【請求項１】
複数の側面板で形成された筒体の一端部に蓋部材が延設され、前記筒体の、前記蓋部材と同じ側の端部に開封用破断線で囲まれた開封部が設けられており、
前記蓋部材が前記開封部に連続し又は前記蓋部材の特定部位が前記開封部に固定された状態で、前記筒体の前記一端部が閉鎖される包装用箱において、
前記開封用破断線は、前記開封部の輪郭と交差する角度に形成された複数の切れ目が所定のピッチで並設された第１破断部と、前記開封部の輪郭に沿う角度に形成された切れ目が設けられた第２破断部とを有し、前記第１破断部と前記第２破断部とが交互に配置され前記開封部を囲んでいることを特徴とする改ざん防止機能付き包装用箱。
【請求項２】
前記開封用破断線は、前記開封部の端部に摘み部を形成するための透孔を有し、前記第１破断部と前記第２破断部とが交互に配置されている途中の位置に前記透孔が配置されて前記開封部を囲み、
前記筒体は、前記開封部が設けられた前記側面板の内側に、当該側面板に重なって前記透孔を閉鎖する内面板が設置されている請求項１記載の改ざん防止機能付き包装用箱。
【請求項３】
複数の側面板で形成された筒体の一端部に蓋部材が延設され、前記筒体の、前記蓋部材と同じ側の端部に開封用破断線で囲まれた開封部が設けられており、
前記蓋部材が前記開封部に連続し又は前記蓋部材の特定部位が前記開封部に固定された状態で、前記筒体の前記一端部が閉鎖される包装用箱において、
前記開封用破断線は、前記開封部の輪郭と交差する角度に形成された複数の切れ目が所定のピッチで並設された第１破断部と、前記開封部の端部に摘み部を形成するための透孔とを有し、前記透孔の片端又は両端に前記第１破断部が配置されて前記開封部を囲み、
前記筒体は、前記開封部が設けられた前記側面板の内側に、当該側面板に重なって前記透孔を閉鎖する内面板が設置されていることを特徴とする改ざん防止機能付き包装用箱。
【請求項４】
前記第１破断部の切れ目のピッチは、当該切れ目の長さの１／２以下に設定されている請求項１乃至３のいずれか記載の改ざん防止機能付き包装用箱。
【請求項５】
前記第１破断部は、直線又は曲線形状の切れ目を互いに平行に配置することによって設けられている請求項１乃至４のいずれか記載の改ざん防止機能付き包装箱。
【請求項６】
前記開封部及び前記開封用破断線は、前記蓋部材を前記開封部に固定した状態で、前記蓋部材の端部が前記開封部の内面側に差し込まれ、差し込んだ部分が前記開封部の内壁面に糊付けされる形状である請求項１乃至５のいずれか記載の改ざん防止機能付き包装用箱。
【請求項７】
前記開封部及び前記開封用破断線は、前記蓋部材を前記開封部に固定した状態で、封緘テープを、前記蓋部材の表面及び前記開封部の表面に跨るように、且つ前記開封用破断線に重ならないように貼着可能な形状である請求項１乃至５のいずれか記載の改ざん防止機能付き包装用箱。
【発明の詳細な説明】
【技術分野】
【０００１】
この発明は、開封用破断線を備えた改ざん防止機能付き包装用箱に関する。
【背景技術】
【０００２】
包装用箱には、複数の側面板で形成された筒体の一端部に蓋部材が延設され、筒体の、蓋部材と同じ側の端部に、開封用破断線で囲まれた開封部が設けられ、蓋部材が倒され、蓋部材が開封部に連続し又は蓋部材の特定部位が開封部に固定された状態で、筒体の一端部が閉鎖される構造のものがある。
【０００３】
従来から、この種の包装用箱に、不正開封された時、その痕跡を顕著に残すための改ざん防止用の構造を付加することが提案されている。例えば、特許文献１に開示された包装用箱は、側面板の開封部を囲むミシン目状の開封用破断線に近接して、側面板の表面側から中間層にまで達する半切れの切り込みが設けられているという特徴がある。この包装用箱を開封するため、開封部を押して開封用破断線を破断させると、開封用破断線と半切れの切り込みとの間の部分が側面板の表面から剥離し、剥離後の部分に側面板の中間層が露出する。これが一度開封されたことを示す痕跡になり、不正に開封されたかどうかを視認することができる。
【先行技術文献】
【特許文献】
【０００４】
【特許文献１】実用新案登録第３２１７７３２号公報
【発明の概要】
【発明が解決しようとする課題】
【０００５】
特許文献１に記載された改ざん防止用の構造は、改ざん防止の効果がある程度は向上するが、不正開封された後、やはり未開封に見えるように巧妙に戻されてしまう可能性があるので、さらなる改善が求められる。さらに、近年、商品管理や品質管理等の理由で、開封されたことがより容易に明示される包装用箱が求められている。
【０００６】
本発明は、不正に開封されたとしても、不規則で顕著な痕跡が確実に残り、未開封に見える綺麗な状態に戻すことが極めて困難な改ざん防止機能付き包装用箱を提供することを目的とする。
【課題を解決するための手段】
【０００７】
本発明は、複数の側面板で形成された筒体の一端部に蓋部材が延設され、前記筒体の、前記蓋部材と同じ側の端部に開封用破断線で囲まれた開封部が設けられており、組み立て時に前記蓋部材が倒され、前記蓋部材が前記開封部に連続し又は前記蓋部材の特定部位が前記開封部に固定された状態で、前記筒体の前記一端部が閉鎖される包装用箱であって、
前記開封用破断線は、前記開封部の輪郭と交差する角度に形成された複数の切れ目が所定のピッチで並設された第１破断部と、前記開封部の輪郭に沿う角度に形成された切れ目が設けられた第２破断部とを有し、前記第１破断部と前記第２破断部とが交互に配置され前記開封部を囲んでいる改ざん防止機能付き包装用箱である。
【０００８】
この場合、前記開封用破断線は、前記開封部の端部に摘み部を形成するための透孔を有し、前記第１破断部と前記第２破断部とが交互に配置されている途中の位置に前記透孔が配置されて前記開封部を囲み、前記筒体は、前記開封部が設けられた前記側面板の内側に、当該側面板に重なって前記透孔を閉鎖する内面板が設置する構成にすることができる。
【０００９】
また、本発明は、複数の側面板で形成された筒体の一端部に蓋部材が延設され、前記筒体の、前記蓋部材と同じ側の端部に開封用破断線で囲まれた開封部が設けられており組み立て時に、前記蓋部材が倒され、前記蓋部材が前記開封部に連続し又は前記蓋部材の特定部位が前記開封部に固定された状態で、前記筒体の前記一端部が閉鎖される包装用箱であって、
前記開封用破断線は、前記開封部の輪郭と交差する角度に形成された複数の切れ目が所定のピッチで並設された第１破断部と、前記開封部の端部に摘み部を形成するための透孔とを有し、前記透孔の片端又は両端に前記第１破断部が配置されて前記開封部を囲み、
前記筒体は、前記開封部が設けられた前記側面板の内側に、当該側面板に重なって前記透孔を閉鎖する内面板が設置されている改ざん防止機能付き包装用箱である。
【００１０】
前記第１破断部の切れ目のピッチは、当該切れ目の長さの１／２以下に設定されていることが好ましい。また、前記第１破断部は、直線又は曲線形状の切れ目を互いに平行に配置することによって設けられていることが好ましい。
【００１１】
前記開封部及び前記開封用破断線は、前記蓋部材を前記開封部に固定した状態で、前記蓋部材の端部を前記開封部の内面側に差し込み、差し込んだ部分を前記開封部の内壁面に糊付けされる形状にレイアウトされている。あるいは、前記開封部及び前記開封用破断線は、前記蓋部材を前記開封部に固定した状態で、封緘テープを、前記蓋部材の表面及び前記開封部の表面に跨るように、且つ前記開封用破断線に重ならないように貼着される形状にレイアウトされている。
【発明の効果】
【００１２】
本発明の改ざん防止機能付き包装用箱は、開封用破断線に独特な構造の第１破断部を設けてあるので、不正に開封されたとしても、第１破断部が破断して顕著な痕跡が確実に残り、しかも、これを未開封に見える綺麗な状態に戻すことは極めて困難なので、開封されたことが容易に分かり、優れた改ざん防止の効果を得ることができる。
【図面の簡単な説明】
【００１３】
【図１】この発明の改ざん防止機能付き包装用箱の第一の実施形態を示す斜視図である。
【図２】第一の実施形態の包装用箱を形成する箱体形成片を表面側から見た展開図（ａ）、開封部及び開封用破断線の部分の拡大図（ｂ）である。
【図３】第一の実施形態の包装用箱を開封した後の開封用破断線の部分の状態を示す拡大図（ａ）〜（ｃ）である。
【図４】図２に示す開封用破断線のレイアウトの変形例を示す図（ａ）〜（ｃ）である。
【図５】この実施形態の包装用箱の蓋部材を開封部に固定する時の固定方法の他の例を示す斜視図である。
【図６】この発明の改ざん防止機能付き包装用箱の第二の実施形態を示す斜視図である。
【図７】第二の実施形態の包装用箱を形成する箱体形成片を表面側から見た展開図（ａ）、開封部及び開封用破断線の部分の拡大図（ｂ）である。
【発明を実施するための形態】
【００１４】
以下、本発明の改ざん防止機能付き包装用箱の第一の実施形態について、図１〜図５に基づいて説明する。図１はこの実施形態の包装用箱１０の組み立て状態を示しており、包装用箱１０は、厚紙等で成るブランクシートから打ち抜いた一枚の箱体形成片１２を組み立てることによって形成される。
【００１５】
箱体形成片１２は、図２（ａ）に示すように、側面板１４，１６，１８，２０が順に連接されている。側面板１４，１６，１８，２０は、連接方向と直交する幅方向は同じ長さであり、連接方向の長さは側面板１６，２０が長くて互いにほぼ等しく、側面板１４，１８がそれより短くて互いに等しい。側面板２０の側縁部には、組み立て状態で側面板１４の裏面に糊付けされる糊付片２２が設けられている。側面板１４，１６，１８，２０、糊付片２２は、各々折罫線２４，２６，２８，３０で区切られている。
【００１６】
側面板１４の、側面板同士の連接方向に対して直角な方向の一対の端部には、台形のフラップ３２が折罫線３４で区切られて各々設けられている。側面板１６は、側面板１４の折罫線３４に隣接する一対の端辺に何も延設されておらず、一方の端辺１６ａの内側に、開封部３６が設けられている。開封部３６は、端辺１６ａの中央部と開封用破断線３８とで囲まれた略四角形の部分であり、開封用破断線３８は、端辺１６ａの中央部から側面板１６の中央に向かってコの字形に膨出した形状にレイアウトされている。
【００１７】
開封用破断線３８は、図２（ｂ）に示すように、開封部３６の輪郭３６ａ（仮想線）と交差する角度に形成された複数の切れ目４０ａが等しいピッチで並設され、切れ目４０ａの間に挟まれた細長い繋ぎ部４０ｂを備えた第１破断部４０と、開封部３６の輪郭３６ａに沿って形成された切り込みである切れ目４２ａが設けられた第２破断部４２とを有し、コの字形の中央部に第２破断部４２が配置され、その両端に第１破断部４０が一対に配置されて開封部３６を囲んでいる。第１破断部４０を構成する複数の切れ目４０ａは、各々が直線形状で、互いに平行に配置されている。
【００１８】
側面板１８の、側面板同士の連接方向に対して直角な方向の一対の端部には、台形のフラップ４４が折罫線４６で区切られて各々設けられている。側面板２０の、側面板１８の折罫線４６に隣接する一対の端部には、矩形の蓋片４８が折罫線５０で区切られて各々設けられている。さらに、蓋片４８の折罫線５０と反対側の端部には、先端側の両角部が丸く面取りされた差込片５２が折罫線５４で区切られて各々設けられている。蓋片４８及び差込片５２は、この包装用箱１０の蓋部材となる。
【００１９】
次に、包装用箱１０の組み立て方法の一例を説明する。図２（ａ）に示す箱体形成片１２は表面側から見たものであり、以下、箱体形成片１２の表面側が凸になる折り方を正折り、そして裏面側が凸になる折り方を逆折りと称する。
【００２０】
まず、糊付片２２の表面に糊を塗布して折罫線２８を正折りし、さらに折罫線２４を正折りし、側面板１４の裏面を糊付片２２の表面に糊付けする。これで、包装用箱１０が薄い折り畳み状態になり、この状態で出荷される。
【００２１】
次に、収容物を収容し包装する工場等において、折罫線２４，２６，２８，３０を各々９０度に正折りし、側面板１４，１６，１８，２０を立体的な筒体５６にする。そして、筒体５６の、開封部３６と反対側の端部を閉鎖するため、この端部に位置する折罫線３４，４６でフラップ３２，４４を９０度に正折りする。その後、この端部にある差込片５２の表面に糊５８を塗布し、差込片５２を折罫線５４で正折りする。そして、この端部にある蓋片４８を折罫線５０で９０度に正折りし、差込片５２を側面板１６の内側に差し込み、差込片５２の表面を側面板１６の裏面に糊付けする。これで筒体５６の底蓋部が形成されたので、反対側の端部開口から収容物を中に入れる。
【００２２】
次に、収容物を入れた端部開口を閉鎖して天蓋部を形成するため、底蓋部を形成した時と同様に、蓋片４８を折罫線５０で９０度に正折りし、差込片５２を側面板１６の内側に差し込み、差込片５２の表面を側面板１６の開封部３６の裏面に糊付けする。これで、筒体５６の両端部が閉鎖され、図１に示す組み立て状態になり、収容物が包装用箱１０とともに市場に出荷される。
【００２３】
包装用箱１０を開封する時は、開封部３６を押圧し、その開封部３６を囲む開封用破断線３８を破断させる。そして、開封部３６を側面板１６から完全に切り離すと、蓋片４８を開くことができる。
【００２４】
この実施形態の包装用箱１０の特徴は、開封用破断線３８を破断させると、第１破断部４０の破断状態が極めて不規則になる点である。切れ目４０ａと切れ目４０ａの間に挟まれた細長い繋ぎ部４０ｂは、どの部位が破断するか予測することができず、図３（ａ）に示すように、繋ぎ部４０ｂの開封部３６から離れた部位が破断する時もあれば、図３（ｃ）に示すように、開封部３６に近い部位が破断する時や、図３（ｂ）に示すように、開封部３６から離れた部位と近い部で破断する時もある。また、破断した繋ぎ部４０ｂは、折れ曲がって立ち上がったり、隣の繋ぎ部４０ｂ上に乗り上げたりして、非常に乱雑な状態になる。したがって、不正に開封されたとしても、第１破断部４０に顕著な痕跡が確実に残り、これを未開封に見える綺麗な状態に戻すことは極めて難しい。
【００２５】
再封する時は、蓋片４８を閉じて差込片５２を側面板１６の内側に差し込んで係止させればよい。なお、開封部３６は、差込片５２に糊付けされているので、以後は、差込片５２と一体に移動する。
【００２６】
以上説明したように、改ざん防止機能付き包装用箱１０は、開封用破断線３８に独特な構造の第１破断部４０を設けてあるので、不正に開封されたとしても、第１破断部４０が破断して顕著な痕跡が確実に残り、しかも、これを未開封に見える綺麗な状態に戻すことは極めて困難なので、優れた改ざん防止の効果を得ることができる。
【００２７】
次に、包装用箱１０に設ける開封用破断線３８の変形例（開封用破断線３８(1)〜３８(3)）について説明する。図４（ａ）に示す開封用破断線３８(1)は、第１破断部４０の複数の切り目４０ａのピッチＢを狭くして、これに合わせて切れ目４０ａの数を増やしたものである。図４（ｂ）に示す開封用破断線３８(2)は、第１破断部４０の数と第２破断部４２の数を各々増やし、これら交互に配置したものである。図４（ｃ）に示す開封用破断線３８(3)は、第１破断部４０の切り目４０ａの、開封部３６の輪郭３６ａに対して交差する角度を変更したものである。その他、直線形状の切れ目４０ａは、半円弧形やＳ字形のような曲線形状に変更することも可能である。
【００２８】
開封用破断線の第１破断部は、箱体形成片１２の基材の種類や厚み等が変更されると、レイアウトが同一であっても破断状態が変化するので、最適なレイアウト（顕著な痕跡が残るレイアウト）も変化する。したがって、基材が変更される毎に、上記変形例のような様々なレイアウトの開封用破断線を試作し、実際に破断させる実験を行って最適なレイアウトを導き出すのが実践的である。例えば、一般的な厚紙を使用して開封用破断線３８を試作し、実験を行ったところ、切れ目４０ａのピッチＢは、切れ目４０ａの長さＡの１／２以下に設定するのが好ましく、例えば、長さＡ＝５ｍｍであれば、ピッチＢ＝０．７〜２ｍｍ程度に設定するのが好ましいことが分かった。
【００２９】
次に、包装用箱１０の蓋部材を開封部３６に固定する時の固定方法の他の例を説明する。図１に示す包装用箱１０の場合、差込片５２を開封部３６に糊付けすることによって固定している。これに対して、図５に示す包装用箱１０の場合は、封緘テープ６０を、蓋片４８の表面及び開封部３６の表面に跨るように、且つ開封用破断線３８に重ならないように貼着することによって固定している。
【００３０】
包装用箱１０の開封部３６及び開封用破断線３８は、開封部３６が略四角形で、この開封部３６を、側面板１６の端辺１６ａとコの字形に膨出した形状の開封用破断線３８とで囲むレイアウトになっている。このレイアウトであれば、糊付けによる固定と封緘テープによる固定の両方が可能であり、同様の改ざん防止効果が得られる。例えば、糊付けによる固定しか行われない場合は、開封部３６を端辺１６ａに掛からないように設け、開封部３６を開封用破断線３８だけで囲むレイアウトにすることができる。
【００３１】
次に、本発明の改ざん防止用の包装用箱の第二の実施形態について、図６、図７に基づいて説明する。ここで、上記実施形態と同様の構成は、同一の符号を付して説明を省略する。
【００３２】
図６は、この実施形態の包装用箱６２の組み立て状態を示しており、包装用箱６２は、厚紙等で成るブランクシートから打ち抜いた一枚の箱体形成片６４を組み立てることによって形成される。
【００３３】
箱体形成片６４は、上記の箱体形成片１２の構成の一部を変更したものであり、主な変更点は、図７（ａ）に示すように、側面板１６の端辺１６ａの側方に内面板６６が設けられている点と、上記の開封用破断線３８と異なる構造の開封用破断線７２が設けられている点である。
【００３４】
内面板６６は、側面板１６から延設された略四角形の板で、延設長さは側面板１６の長辺の長さの１／２より少し短い。内面板６６は、開封部３６を囲む端辺１６ａの両端を延長した部分で側面板１６と繋がり、折罫線６８で側面板１６と区切られている。また、端辺１６ａの中央部と対向する位置に、半円弧状の切り欠き７０が設けられている。
【００３５】
開封用破断線７２は、図７（ｂ）に示すように、端辺１６ａの中央部から側面板１６の中央に向かってコの字形に膨出した形状にレイアウトされ、上記と同様の第１破断部４０と、細長い透孔７４とを有し、コの字形の中央部に透孔７４が配置され、その両端に第１破断部４０が一対に配置されて開封部３６を囲んでいる。透孔７４は、開封部３６の端部に摘み部７６を形成するために設けられている。切り込み７４ａは透孔７４の一部（透孔７４の両端部）であり、透孔７４と第１破断部４０とをスムーズに連続させるため、補助的に設けられている。
【００３６】
次に、包装用箱６２の組み立て方法の一例を説明する。図７（ａ）に示す箱体形成片６４は表面側から見たものであり、ここでは、表面側が凸になる折り方を正折り、そして裏面側が凸になる折り方を逆折りと称する。
【００３７】
まず、内面板６６の先端部の裏面に糊７８を塗布して折罫線６８を正折りし、内面板６６の裏面を側面板１６の裏面に糊付けする。これで、内面板６６は、開封部３６及び開封用破断線７２に重なって透孔７４を閉鎖し、先端部が側面板１６の中央部の、開封用破断線７２に掛からない位置に固定される。
【００３８】
その後、糊付片２２の表面に糊を塗布して折罫線２８を正折りし、さらに折罫線２４を正折りして側面板１４の裏面を糊付片２２の表面に糊付けする。これで、包装用箱６２が薄い折り畳み状態になり、この状態で出荷される。
【００３９】
次に、収容物を収容し包装する工場等において、折罫線２４，２６，２８，３０を各々９０度に正折りし、側面板１４，１６，１８，２０を立体的な筒体５６にする。そして、筒体５６の、開封部３６と反対側の端部を閉鎖するため、この端部に位置する折罫線３４，４６でフラップ３２，４４を９０度に正折りする。その後、この端部にある差込片５２を折罫線５４で正折りし、蓋片４８を折罫線５０で９０度に正折りし、差込片５２を側面板１６の内側に差し込んで係止させる。そして、封緘テープ６０を、蓋片４８の表面から側面板１６の表面に跨るように貼着する。これで筒体５６の底蓋部が形成されたので、反対側の端部開口から収容物を中に入れる。
【００４０】
次に、収容物を入れた端部開口を閉鎖するため、底蓋部を形成した時と同様の作業をこの端部でもう一度行う。この時、封緘テープ６０は、蓋片４８の表面から開封部３６の表面に跨るように、且つ開封用破断線７２に重ならないように貼着する。これで、筒体５６の両方の端部が閉鎖され、図６に示す組み立て状態になり、収容物が包装用箱６２とともに出荷される。
【００４１】
包装用箱６２を開封する時は、透孔７４を利用して開封部３６の摘み部７６を指で摘まみ、開封部３６を引き上げる操作を行って開封用破断線７２の第１破断部４０を破断させる。そして、開封部３６を側面板１６から完全に切り離すと、蓋片４８を開くことができる。
【００４２】
第１破断部４０を破断させると、その破断状態は上記と同様に不規則で乱雑な状態になる。したがって、不正に開封されたとしても、第１破断部４０に顕著な痕跡が確実に残り、これを未開封に見える綺麗な状態に戻すことは極めて難しい。
【００４３】
再封する時は、蓋片４８を閉じて差込片５２を内面板６６の内側に係止させればよい。この状態で、蓋片４８と差込片５２とが交差する角部が切り欠き７０から露出するので、次に蓋片４８を開く時、この露出している部分に指を掛ければ、蓋片４８を簡単に開くことができる。なお、開封部３６は、封緘テープ６０で蓋片４８に連結されているので、以後は、差込片５２と一体に移動する。
【００４４】
以上説明したように、改ざん防止機能付き包装用箱６２によれば、上記の包装用箱１０と同様の効果を得ることができる。その他、包装用箱６２は、開封部３６に摘み部７６を設けてあるので、開封操作が容易である。また、摘み部７６を形成する透孔７４が側面板１６に開口しているが、この透孔７４は、組み立て状態で内面板６６によって閉鎖されるので、透孔７４からゴミや埃が侵入する心配はない。
【００４５】
なお、本発明の改ざん防止機能付き包装用箱は、上記実施形態に限定されるものではない。例えば、切れ目の構造は、断続する切り込みの他、ミシン線でも良く、一定の力で連続して破断可能な構造であれば良い。さらに、切れ目は等しいピッチで設けられていることが好ましいが、不等ピッチで設けられていても良い。
【００４６】
また、蓋部の構造は、本発明が目的とする動作が可能な範囲で変更することができる。上記の包装用箱１０，６２は、蓋部材が蓋片４８とその先端部に延設された差込片５２とで構成され、箱体形成片の状態で、蓋部材が開封部３６と不連続であり、組み立て状態で、蓋部材の特定部分が開封部３６に糊付け等の方法で固定されて蓋部が形成される構造である。これは蓋部の構造の一例を示したものであり、例えば、蓋部の構造をシールエンド型に変更することも可能である。シールエンド型の場合は、蓋部材を２つ蓋片で構成し、箱体形成片の状態で、一方の蓋片の基端部を開封部３６の端部（端辺１６ａの部位）に連続させ、組み立て状態で、２つの蓋片が重り互いに糊付けされて蓋部が形成されるようにする。このように蓋部をシールエンド型に変更しても、同様の効果を得ることができる。
【００４７】
その他、箱体の大きさ、基材の材質、各部材の形状等は、用途に合わせて変更可能である。
【符号の説明】
【００４８】
１０，６２  改ざん防止機能付き包装用箱
１２，６４  箱体形成片
１４，１６，１８，２０  側面板
３６  開封部
３６ａ  輪郭
３８，７２  開封用破断線
４０  第１破断部
４０ａ  切れ目
４２  第２破断部
４２ａ  切れ目
４８  蓋片（蓋部材）
５２  差込片（蓋部材）
５６  筒体
５８，７８  糊
６０  封緘テープ
６６  内面板
７４  透孔
７６  摘み部
【図１】
2020164217.tif 000003
【図２】
2020164217.tif 000004
【図３】
2020164217.tif 000005
【図４】
2020164217.tif 000006
【図５】
2020164217.tif 000007
【図６】
2020164217.tif 000008
【図７】
2020164217.tif 000009